【事件の表示】
　特願２０１０−５４０７６０「石膏スラリーの形成方法、および石膏パネル」拒絶査定不服審判事件〔平成２１年　７月　９日国際公開、ＷＯ２００９／０８５６３５、平成２３年　３月１７日国内公表、特表２０１１−５０８７２０、請求項の数（１０）〕について、次のとおり審決する。
【結　論】
　原査定を取り消す。
　本願の発明は、特許すべきものとする。
【理　由】
第１　手続きの経緯
　本願は、２００８年１２月１１日（パリ条約による優先権主張外国庁受理　２００７年１２月２８日、米国）を国際出願日とする出願であって、平成２３年１２月８日付けで手続補正書が提出され、平成２５年３月１９日付けで拒絶理由が通知され、同年６月２５日付けで意見書及び手続補正書が提出されたが、同年８月９日付けで拒絶査定されたので、同年１２月１２日付けで拒絶査定不服審判が請求されるとともに同日付けで手続補正書が提出されたものである。
                         　
第２　平成２５年１２月１２日付けの手続補正についての補正却下の決定
［補正却下の決定の結論］
　平成２５年１２月１２日付けの手続補正（以下「本件補正」という。）を却下する。
［理由］
１　本件補正前及び補正後の本願発明
（１）本件補正は、特許請求の範囲及び発明の詳細な説明についてするものであって、本件補正のうち特許請求の範囲の請求項１の補正（以下、「補正事項１」という。）に関し、本件補正前後の特許請求の範囲の請求項１の記載は次のとおりである（審決注：下線部は補正箇所を示す。）。
（補正前）
「焼成石膏と水を混合して石膏スラリーを作り、鉱物分濃度がカルシウムとして４０乃至１２０ｍｇ／Ｌである硬水中で安定な泡を加えるステップを含む硬水での石膏スラリーの形成方法であって、
　前記泡が、水、空気および界面活性剤でなり、前記界面活性剤が、分子中に平均０．２から３．０個のエトキシ基を含む親水性部と、炭素数８のアルキル鎖が２０％から６０％、炭素数１０のアルキル鎖が２０％から６０％、炭素数１２のアルキル鎖が１４％から３６％、および炭素数１４のアルキル鎖が２％から２０％で分布した疎水性部を有してなることを特徴とする石膏スラリーの形成方法。」
（補正後）
「焼成石膏と水を混合して石膏スラリーを作り、鉱物分濃度がカルシウムとして
少なくとも３００ｍｇ／Ｌ
　前記泡が、水、空気および界面活性剤でなり、前記界面活性剤が、分子中に平均０．２から３．０個のエトキシ基を含む親水性部と、炭素数８のアルキル鎖が２０％から６０％、炭素数１０のアルキル鎖が２０％から６０％、炭素数１２のアルキル鎖が１４％から３６％、および炭素数１４のアルキル鎖が２％から２０％で分布した疎水性部を有してなることを特徴とする石膏スラリーの形成方法。」
　　　　　
（２）補正の適否
　補正事項１に関する補正は、石膏スラリーの形成で使用する「硬水」について、本件補正前には「鉱物分濃度がカルシウムとして４０乃至１２０ｍｇ／Ｌ」であったものを、本件補正により「鉱物分濃度がカルシウムとして少なくとも３００ｍｇ／Ｌ」に変更するものである。
　そこで、補正事項１が、補正の目的要件（特許法第１７条の２第５項）を充足するものであるかを検討する。
　これに関し、硬水としての技術的範囲を、「鉱物分濃度がカルシウムとして４０乃至１２０ｍｇ／Ｌ」から「鉱物分濃度がカルシウムとして少なくとも３００ｍｇ／Ｌ」に変更することは、そのカルシウム濃度範囲を変更するものであるので、特許請求の範囲の減縮（特許法第１７条の２第５項第２号）にはあたらない。また、補正前の「鉱物分濃度がカルシウムとして４０乃至１２０ｍｇ／Ｌの硬水」という特定事項は、それ自体明確であるので、明瞭でない記載の釈明（同項第４号）にもあたらない。さらに、請求項の削除（同項第１号）や誤記の訂正（同項第３号）にあたらないことは明らかである。
　このため、補正事項１は、特許法第１７条の２第５項で規定するいずれの事項を目的とするものではない。
　　　　
ウ　小活
　したがって、補正事項１を含む本件補正は、特許法第１７条の２第５項の規定に違反するので、同法第１５９条第１項において読み替えて準用する同法第５３条第１項の規定により却下すべきものである。 
                                   　
第３　本願発明について
１　本願発明
　平成２５年１２月１２日付けの手続補正は、上記第２のとおり却下されたので、本願の請求項１〜１０に係る発明のうち、請求項１、７に係る発明は、同年６月２５日付け手続補正書により補正された請求項１、７に、また、請求項２〜６、８〜１０に係る発明は、平成２３年１２月８日付け手続補正書により補正された請求項２〜６、８〜１０記載されたとおりの次のとおりのものである。
「　【請求項１】
　焼成石膏と水を混合して石膏スラリーを作り、鉱物分濃度がカルシウムとして４０乃至１２０ｍｇ／Ｌである硬水中で安定な泡を加えるステップを含む硬水での石膏スラリーの形成方法であって、
　前記泡が、水、空気および界面活性剤でなり、前記界面活性剤が、分子中に平均０．２から３．０個のエトキシ基を含む親水性部と、炭素数８のアルキル鎖が２０％から６０％、炭素数１０のアルキル鎖が２０％から６０％、炭素数１２のアルキル鎖が１４％から３６％、および炭素数１４のアルキル鎖が２％から２０％で分布した疎水性部を有してなることを特徴とする石膏スラリーの形成方法。
　　【請求項２】
　前記界面活性剤が、予め混合された石鹸であることを特徴とする請求項１に記載の石膏スラリーの形成方法。
　　【請求項３】
　前記石膏スラリーを作るステップは、さらに、より大きな泡コアの形成を促す添加剤を加えることを特徴とする請求項１に記載の石膏スラリーの形成方法。
　　【請求項４】
　前記添加剤が、澱粉、ポリカルボキシレートエーテル分散剤、ナフタレンスルホネート分散剤、あるいはこれらの混合物であることを特徴とする請求項３に記載の石膏スラリーの形成方法。
　　【請求項５】
　焼成石膏に加えられて石膏スラリーを作る水が、鉱物分濃度がカルシウムとして最少で約４０ｍｇ／Ｌである硬水であることを特徴とする請求項１に記載の石膏スラリーの形成方法。
　　【請求項６】
　空気と前記界面活性剤と一緒にして泡を作る水が、鉱物分濃度がカルシウムとして最少で約４０ｍｇ／Ｌである硬水であることを特徴とする請求項１に記載の石膏スラリーの形成方法。
　　【請求項７】
　ａ）焼成石膏と、ｂ）前記焼成石膏に加えられて石膏スラリーを形成する鉱物分濃度がカルシウムとして４０乃至１２０ｍｇ／Ｌである硬水と、およびｃ）水、空気、および分子中に平均０．２から３．０個のエトキシ基を有する親水性部と、炭素数８のアルキル鎖が２０％から６０％、炭素数１０のアルキル鎖が２０％から６０％、炭素数１２のアルキル鎖が１４％から３６％、および炭素数１４のアルキル鎖が２％から２０％で分布した疎水性部を有してなる界面活性剤を混合して形成され、前記硬水中で安定であり、前記石膏スラリーに加えられる泡と、で構成されて、前記硬水の存在下で形成された石膏パネルであって、
　前記泡の入った石膏スラリーが前面と後面それぞれの間で硬化されて、硬化された前面と後面が、仕上げ加工されることを特徴とする石膏パネル。
　　【請求項８】
　前記焼成石膏に加えられて石膏スラリーを形成する水が、硬水であることを特徴とする請求項７に記載の石膏パネル。
　　【請求項９】
　前記界面活性剤が、予め混合された石鹸であることを特徴とする請求項７に記載の石膏パネル。
　　【請求項１０】
　前記石膏スラリーは、さらに、より大きな泡コアの形成を促す添加剤を加えることを特徴とする請求項７に記載の石膏パネル。」
　　　　
第４　当審の判断
　本願については、原査定の拒絶理由を検討しても、その理由によって拒絶すべきものとすることはできない。
　また、他に本願を拒絶すべき理由を発見しない。
　よって、結論のとおり審決する。